【事件の表示】
　平成　８年特許願第５２４６８８号「移動局においてアプリケーションを使用する方法、移動局、及び支払いを行うシステム」拒絶査定不服審判事件〔平成　８年　８月２２日国際公開、ＷＯ９６／２５８２８、平成１１年　２月　２日国内公表、特表平１１−５０１４２４〕について、次のとおり審決する。
【結　論】
　本件審判の請求は、成り立たない。
【理　由】
１．手続の経緯
　本願は、１９９６年２月９日（パリ条約による優先権主張外国庁受理１９９５年２月１５日、フィンランド国）を国際出願日とする出願であって、 平成１８年２月１５日付けで拒絶査定がなされ、これに対し、同年５月２２日に拒絶査定に対する審判請求がなされるとともに、同年６月２１日付けで手続補正がなされ、平成２０年１１月１７日付けで審尋がなされ、これに対する回答がなされていないものである。
　
２．本願発明
　請求項１に係る発明（以下、「本願発明」という。）は、平成１８年６月２１日付けの手続補正書の特許請求の範囲の請求項１に記載された事項により特定される、以下のとおりのものである。
「無線通信のための移動局内でアプリケーションを使用するための方法であって、移動局は、移動局機能を実施するためのマスター制御ユニット（ＭＣＵ）を含み、該移動局はさらに無線通信を提供するための無線通信手段を含んでおり、該方法は、
−　アプリケーションが受動的である第１の動作モード及びアプリケーションがＭＣＵを制御中である第２の動作モードでアプリケーションを動作させる段階；及び
−　移動局のＭＣＵが制御動作を実施する通常モード、又はＭＣＵが該アプリケーションにより制御されているアプリケーション・モードで、該ＭＣＵを動作させる段階；
を含んで成ること及び
−　ＭＣＵは通常モードとアプリケーション・モードの間でのＭＣＵの切換えを制御すること、
を特徴とする方法。」
　
３．引用例
　原査定の拒絶の理由で引用された特開平１−２８０８８９号公報（以下、「引用例１」という。）には、図面とともに、以下の事項が記載されている。
（ａ）「２．特許請求の範囲
（１）ＩＣカードと、このＩＣカードが装着される情報処理装置との間でなされるＩＣカードのデータ伝送方式において、前記情報処理装置と前記ＩＣカードとは、それぞれ他方に対して自己をマスター及びスレーブのいずれか一方とする状態設定手段を有していて、前記ＩＣカード及び前記情報処理装置のいずれか一方は送信情報に他方をマスター及びスレーブのいずれか他方に設定する状態情報を加えて情報を伝送し、かつ自己の前記状態設定手段により自己をマスター及びスレーブのいずれか一方に設定し、前記ＩＣカード及び前記情報処理装置のいずれか他方は送信された前記状態情報を解読して前記状態設定手段により自己をマスター及びスレーブのいずれか他方とすることを特徴とするＩＣカードのデータ伝送方式。
（２）状態情報は、マスター状態となるかスレーブ状態となるかを示す情報と各種の処理に対応して設定される個別的な状態を設定する個別的な状態情報とからなることを特徴とする請求項１記載のＩＣカードのデータ伝送方式。
（３）状態情報は、マスター状態となるかスレーブ状態となるかを示す情報と個別的なモード情報とからなり、前記個別的なモード情報は、前記マスター状態又はスレーブ状態において各種の処理に対応して設定される個別的な処理プログラムを選択する情報であることを特徴とする請求項１記載のＩＣカードのデータ伝送方式。
（４）状態情報は、マスター状態となるかスレーブ状態となるかを示す情報と個別的なモード情報とからなり、前記個別的なモード情報は、前記マスター状態又はスレーブ状態において各種の処理に対応して設定される個別的な処理状態を設定し、かつ選択された状態において動作する処理プログラムを選択する情報であることを特徴とする請求項１記載のＩＣカードのデータ伝送方式。」（第１頁左下欄第３行−同頁右下欄第１８行）
　
（ｂ）「［作用］
　このようにＩＣカードとこのＩＣカードが装着される情報処理装置との双方に自己の状態をマスターとするかスレーブするかという状態選択ができる状態設定手段を設けているので、ＩＣカードをマスターとし、情報処理装置をスレーブとして動作させることができ、ＩＣカードがマスターとなるときには、伝送情報に相手方である情報処理装置側をスレーブとする状態情報を送るようにすれば、ＩＣカードをマスターとして情報処理装置をスレーブとして情報伝送ができる。
　逆に、通常の伝送状態に戻す場合には、情報処理装置をマスターとし、ＩＣカードをスレーブとして動作させることができ、情報処理装置がマスターとなるときには、伝送情報にＩＣカード側をスレーブとするモード情報を送るようにすればよい。さらに、ＩＣカードを最初からマスターとして処理されることもできる。
　その結果、ＩＣカードは自己の処理機能に応じてマスターとなることができ、各種のプログラムやデータを他の装置から入手でき、端末装置的な処理が可能となる。したがって、種々の処理機能をハードウェアの負担を大きくすることなく実現することができる。」（第２頁右下欄第１１行−第３頁左上欄第１４行）
　
（ｃ）「［実施例］
　以下、この発明の一実施例について図面を参照して詳細に説明する。
　第１図は、この発明のＩＣカードのデータ伝送方式を適用したＩＣカードシステムのブロック図であり、第２図は、その伝送データのフォーマットの説明図である。
　第１図において、１は、ＩＣカード２が装着され、ＩＣカード２とデータの授受を行うホストコンピュータであって、その内部にＩＣカードリーダ・ライタ部を有していて、ＩＣカード２は、このＩＣカードリーダーライタ部に装着され、ホストコンピュータ１との間でデータ交換を行う。なお、ＩＣカードリーダ・ライタ部とＩＣカード２とは、通常、コネクタで接続されるか、コイル等を介して電磁結合され、非接触状態で接続される。
　３は、ホストコンピュータ１からＩＣカードリーダ・ライタ部を介してＩＣカード２に対して送出されるコマンド列であり、４は、このコマンド列３に対するＩＣカード２からのレスポンス列である。
　コマンド列３とレスポンス列リ４のフォーマットの詳細は、第２図に示すように、その先頭部分に先頭を示す開始コード１１が設けられ、次にコマンドコード又はレスポンスコード１２、そしてモード識別情報１３、送信データ１４、最後に終了コード１５と続く構成となっている。
　ここで、モード識別情報１３は、ホストコンピュータ１とＩＣカード２とに記憶されたそれぞれのモード情報テーブル５から選択されるものであって、このモード情報テーブル５には、マスター／スレーブのいずれかに設定設定したときに、その処理状態で個別的に動作する処理プログラムの動作状態の場合を生成する下位のステータス又は／及びその場合の処理プログラムを選択するための情報となる個別的なプログラム対応の複数の個別モート情報が記憶されている。
　さて、前記コマンド列３とレスポンス列４のモード識別情報１３は、これらモード情報テーブル５のうちから選択された１つのモード情報であり、ホストコンピュータ１とＩＣカード２とは、相手方のモード情報テーブル５に記憶されたモード情報に基づいて自己の処理状態を切り換えて、マスターとなったり、スレーブとなり、かつ特定の処理状態に設定される。したがって、このモード情報は、マスターとするかスレーブとするかの指定ビット情報といかなる個別的処理状態、例えば、銀行取引処理、ショッング取引処理、病院の受診処理等の各種の処理状態の１つに設定するのかの状態情報（個別ステータス情報）とから構成されていて、個別ステータス情報は、その状態で動作するプログラムの選択情報にもなっている。
　すなわち、ここでのモード情報は、マスター状態となるかスレーブ状態となるかを示す大きな意味での状態情報とその下で設定される個別的なモード情報とからなる。この個別的なモード情報は、マスター状態又はスレーブ状態において各種の処理に対応して設定される個別的な処理状態を設定する個別ステータス情報として使用されるとともに、個別的に選択された状態において動作する処理プログラムを選択する情報にもなり、実際の処理モードを決定する。
　ここで、ホストコンピュータ１とＩＣカード２には、それぞれ送信データから前記記モード識別情報を解読して、自己の動作状態を相手方から指定された動作モードに設定する状態設定手段（ステ−タス設定手段）６と、送信データに付加するモード情報をモード情報テーブル５の中から選択して送信データに付加するモード情報送信手段７とがそれぞれ設けられている。そして、モード情報送信手段７により付加されたその時のモード情報がモード識別情報１３としてマスター／スレーブ関係の設定又は変更に際して伝送データ１４とともに送信時のコマンド列３又はレスポンス列４となって送られる。
　ＩＣカード２がホストコンピュータ１に装着された時点では、通常、ホストコンピュータｌは、まず、マスターとなり、ホストコンピュータ１がこれから行う処理に対応する動作状態を指定するコード（個別ステータス情報）をモード情報テーブル５の中から選択し、これとＩＣカード２をスレーブに指定する情報とをモード識別情報１３として構成して送信する。
　ＩＣカード２は、ホストコンピュータ１からの送信データを受けると、それがステータス設定手段６を起動するステータス設定のコマンドであるときに、このコマンドによりステータス設定手段を起動してステータスを設定をする。これは、ステータス設定手段６によりモード識別情報１３を解読して、ＩＣカード２をホストコンピュータ１により指定されたスレーブ状態として、自己のステータスをモード識別情報１３で指示された処理状態（個別ステータスの処理状態）にして以後の処理を行う。
　そして、前記モード識別情報１３を解読した結果、自己がマスターとなって処理するものであれば、その後にある個別ステータス情報に基づき自己のメモリのステータス情報領域２６（第５図参照）に記憶された、その状態情報に対するモード番号を得て、このモード番号（これは、個別ステータス情報からそのステータスで動作させる処理プログラムを選択するための番号になる）に基づき、相手方、すなわち、ホストコンピュータ１をスレーブとして行う処理に対応する動作状態を相手方に設定するコード（相手方の個別ステータス情報）をモード情報テーブル５の中から選択し、これとスレーブとからなるモード識別情報１３を構成してレスポンス列４に組入れて、ホストコンピュータ１に返信する。そして、ＩＣカード２自体は、ステータス設定手段６により自己のステータスをマスターに変更する処理をする。なお、この場合、相手方がスレーブになった応答を待ってそのステータスでの実際の処理プログラムが起動される。
　その結果、以後は、ホストコンピュータ１がスレーブとなり、ＩＣカード２がマスターとなって、ＩＣカード２側からホストコンピュータ１に特定のプログラムとか、データ転送の要求を出して、そのときの動作で必要なプログラムとかデータを得る。そして、必要に応じて、再び、ＩＣカード２は、ホストコンピュータ１がマスターとなるモード情報を送り、スレーブとなり、ホストコンピュータ１がマスターとなって元の状態に戻り、通常のＩＣカードとしての動作処理をする。
　以上は、ＩＣカード２側を主体として説明しているが、最初からホストコンピュータ１側がスレーブとなり、ＩＣカード２側がマスターとなるモード情報をホストコンピュータｌからＩＣカード２に対して送って、ＩＣカード２がマスターとなってもよい。この場合、ホストコンピュータ１側を主体として、ＩＣカード２の前記の動作すべてをホストコンピュータ１に負わせ、ホストコンピュータ１の前記の動作をＩＣカード２に負わせてこれらを入れ替えて、相互の立場を逆転させて動作させてもよい。
　さらに、これとは別に、後述するように、ＩＣカード２側が主体となって動作し、最初からマスターとなり主体となって動作し、ＩＣカード２が前記のホストコンピュータ１と同様な動作をして、ホストコンピュータｌがＩＣカード２と同じような立場でスレーブとなることからスタートするようにしてもよい。
　このようにすることにより、ＩＣカード２をマスターとしてそのときどきに応じた情報処理をさせることができ、インテリジェントな動作が可能である。しかも、ＩＣカード２における処理機能の種類がたとえ多くなっても、ホストコンピュータ１側がスレーブとなることから後からホストコンピュータ１側から選択的に転送してもらえるので、ある種のプログラムは、ＩＣカード２側に持たせなくても済む。また、このことはデータについても同様である。
　このような送受信方式おいて、ＩＣカード２を用いてショッピング等を行う場合には、ホストコンピュータ１とＩＣカード２との間でコマンド列３及びそのコマンド列３に対するＩＣカード２のレスポンス列４の送受信を必要なだけ行う。この時のコマンド列３及びレスポンス列４の中の送信データ１４は、その都度、モード識別情報１３で示す方式に従いいずれか一方の側がマスターとなり、いずれか他方の側がスレーブとなる。
　そこで、通常のショッピングでは、ホストコンピュータ１は、ＩＣカード２をスレーブとしてデータの授受を行うが、ショッピング内容によってＩＣカード側において特別な処理として他のデータを必要としたときには、ＩＣカード２側がマスクーとなり、ホストコンピュータ１に要求を出して、そのデータ（又はプログラム）を得るような処理ができる。
　また、ＩＣカード２を病院等で使用する場合には、まず、ＩＣカード２がマスターに設定されて、そのときの診察に必要なデータをスレーブ側となったホストコンピュータｌ側から転送してもらって、ホストコンピュータｌとの間でデータ授受を行うことができる。
　ところで、ＩＣカードリーダ・ライタ８は、ホストコンピュータに内蔵させることなく、第３図に示すように、ＩＣカード２をＩＣカードリーダ・ライタ８に装着し、ＩＣカードリーダ・ライタ８とホストコンピュータｌとを回線或いはワイヤで接続して処理を行うようにしてもよい。この場合を例としてさらに詳細に各部の構成について説明する。
　リーダライタ８は、通常、内部にマイクロプロセッサとメモリとを有していて、その基本的な機能としては、ホストコンピュータ１と、ＩＣカード２の間に接続され、主にＩＣカード２の挿入機構を有し、挿入されたＩＣカード２に対し、電源、クロック、リセット等の信号を送出してＩＣカード２を動作させ、ホストコンピュータｌと、ＩＣカード２間の伝送データの受は渡しを行うインタフェースの役割を果たしている。なお、ＩＣカードリーダ・ライタ８は、その仕様に応じて、この他、各種の機能があるので、前記のようなインタフェースの機能に限定されないことはもちろんである。
　さて、第１図及び第３図に示すＩＣカード２は、例えば、第５図に示すような内部構成となっている。内部には、外部との信号の授受を行う外部インタフェース２１と、ＲＡＭ２３と、マスクＲＯＭ２４と、プログラム及びデータを格納するＥＥＰＲＯＭ２５と、これらとバス等により接続され、これらを制御するマイクロプロセッサ２２とで構成されている。
　なお、この例では前記のような構成としているが、これらの各要素の組合せ及びＩＣチップの数を限定するものではなく、ゲートアレイ等の各種のハードウェア回路或いはその他の論理回路等が加えられ、又は前記回路の一部がこれら回路に置き換えられていてもよい。
　ここで、データの書込み、読出し、暗証番号等の確認情報の照合、特定の処理プログラムの起動、通信制御処理等を行う基本的な処理プログラムは、マスクＲＯＭ２４に記憶されている。また、第１図におけるステータス設定手段６は、ダウンロードによりＥＥＰＲＯＭ２５に格納されたステータス設定処理プログラム２７ａがマイクロプロセッサ２３により起動されることで実行され、ＩＣカード２をマスター状態とスレーブ状態とのいずれかの動作状態に設定する。
　ＥＥＰＲＯＭ２５には、自己の状態をマスターか、スレーブかのいずれかに設定するためにステータス設定手段６による参照されるステータスデータが記憶されたステータス情報領域２６と、モード情報テーブル５と、銀行関係データ処理、ショッピング関係データ処理、病院関係データ処理等の各種のアプリケーションに応じた複数の処理プログラムを記憶したアプリケーション処理プログラム群２７ｂ及びそのデータ等とが格納されている。
　なお、ステータス設定処理プログラム２７ａは、モード識別情報１３或いは内部で発生したこれに対応するモード情報に基づいてステータス情報領域からその動作モードに必要なステータスをＩＣカード２内部に設定する。そして、自らマスター又はスレーブになるときには、内部でモード情報を発生してステータス情報領域２６を参照してモード番号を得て、このモード番号からモード情報テーブル５を参照して相手方に対して設定するモード情報と相手方がマスター／スレーブとして動作するときに自己がそれに対応して動作するための処理プログラムとを選択する。
　このステータス情報領域２６は、第６図（ａ）に示すように、マスター／スレーブピットと個別ステータス情報とからなるモード識別情報に応じてアクセスされ、モード識別情報対応にモード番号と個別のステータスを実現するための各種のパラメータとを格納している。なお、処理プログラムの起動が不安なときには、ステータス情報領域２６においてモード番号を書込まなれけばよい。
　これは、例えば、スレーブ状態に入ったときのある個別ステータスでモード番号が記憶されていなければ、それによりスレーブ状態で動作が保持され、これによりホストコンピュータ１とＩＣカード２との両者の状態が固定される。また、スレーブ状態において所定の処理プログラムを起動した後にその状態に保持する場合には、後述するモード情報テーブル５の個別ステータス情報の欄５５（第６図の（ｂ）参照）の個別ステータス情報を−を込まなけばよい。
　そこで、ＩＣカード２は、伝送されたモード情報１３或いは内部で発生したモード情報に基づいてこのステータス情報領域２６のデータによりマスター或いはスレーブの状態に設定されることになるが、以上の構成による機能と同様な機能がホストコンピュータ１についても設けられている。これについては同様であるのでここでは割愛する。
　さて、ＩＣカード２の動作は、第４図に示すような動作となる。リーダライタ８に挿入されたＩＣカード２は、電源投入（“ＯＮ”）によりまず初期設定の状態となる。その後、ステータス設定処理プログラム２７ａが起動されてモード設定状態に移行し、電源“ＯＮ”時に指定されているモード情報が内部で発生してステータス情報領域２６がアクセスされて、自己がマスター状態かスレーブ状態のいずれかに移行する。
　そこで、電源“ＯＮ”時の内部で発生するモード情報がマスター状態を示していれば、マスタモードに、スレーブ状態を示していれば、スレーブモードにＩＣカード２が設定される。なお、電源“ＯＮ”時のスレーブ状態のときには、通常、相手方対してのモード情報の送出等の送信はしない。
　そして、動作状態においては、ＩＣカード２（又はホストコンピュータ１）は、マスター状態或いはスレーブステータスのいずれかに移行するときには、ステータス設定処理プログラム２７ａが起動され、スレーブ状態において、起動する処理プログラムは原則としてマスター側からの指令で指定される。スレーブ側は、自らスレーブ状態となるときは別として、単にホストコンピュータ１（マスターがＩＣカードのときにはＩＣカード２）からの情報を受けて動作して処理プログラムが起動されるだけであるので、相手方よりのモード情報１３によりスレーブ状態にされるときには、モード情報１３の相手方からの受信に応じて行われ、スレーブ状態になったときに、相手方に応答信号を返すだけである。
　一方、マスターに設定されるときには、相手方にモード識別情報１３を伝送してそれに対する応答があった後で相手側がスレーブ状態に設定されたことを待って行われ、マスター状態に入り、その応答後に指定された処理プログラムが起動されて実行されることになる。
　なお、動作状態において、ステータスが現在のステータスと一致しているときには、モード情報を受けてもモードに対応するステータスの設定、切換えは行われない。そのために、ステータス設定処理プログラム２７ａには、受信したマスター／スレーブのステータスと現在実行しているマスター／スレーブのステータスとを比較して一致しているか否かの判定をする処理が含まれていて、この判定の結果に応じて第４図のステータス設定状態に移行する。
　第６図（ｂ）は、相手方に設定するモード情報と自己がマスター／スレーブになったときに処理する処理プログラム名及びその先頭アドレス、処理プログラムが起動されるときに必要なパラメータを記憶したモード情報テーブル５の具体例である。
　このモード情報テーブル５は、最初の欄がモード番号欄５１であり、次の欄５２がそのモードにおいて実行する処理を識別する処理番号、その次の欄５３がそのモードで動作するプログラムの先頭ドレス、次の欄５４がプログラムが動作する上で必要なプログラム名、属性等のパラメータ、そして、最後が相手方モード情報に付加する個別ステータス情報の欄５５である。なお、この個別ステータス情報欄５５に情報が記憶されていないときは、相手方に対する情報の伝送が行われず、単に、欄５２，５３，５４により指定される処理プログラムが起動されるだけである。
　そこで、ＩＣカード２がＩＣカードリーダ・ライタ８に装着されたとき、ＩＣカード２からマスターを示すモード情報の伝送がない限りは、通常の処理となり、前記したようにＩＣカード２がスレーブとなるので、ホストコンピュータｌは、ＩＣカード２が装着されてから一定時間の間伝送情報待ち状態に入って、ＩＣカード２からモード設定状態のコマンド（ステータス設定手段６の起動のコマンド）の情報伝送がないときに、ホストコンピュータ１は、自らマスターに対応するモード情報を内部で発生して、そのステータス情報領域をアクセスし、ここで得られたモード番号に基づきモード情報テーブル５を参照して処理すべきプログラムの情報と相手方に対する個別ステータス情報を得てこれとスレーブとする情報を加えてモード情報１３を生成する。そして、相手方に対するステータス設定処理プログラム２７ａを起動するコマンドを付加して前記の生成したモード情報をモード情報１３としてＩＣカード２に送出する。そして、そのステータスに内部を設定して相手方の応答を侍って、モード情報テーブル５の処理プログラムを起動する。なお、動作中において、ステータス設定手段６（ステータス設定処理プログラム２７ａ）の起動コマンドが送出され、指定されるステータスと現在のステータスと不一致のときは、モード設定状態に移行して、自己を他の状態、例えば、マスターからスレーブ状態にする。また、スレーブからマスターになるときには、相手方に対してステータス設定処理プログラム２７ａを起動するコマンドとスレーブを示すモード情報１３とを送出する。
　このように、モード切換えを行う必要の生じた場合には、ステータス設定処理プログラム２７ａが起動され、ステータス設定手段６により次のステータス設定状態に移行して次のステータスになる。
　このようにすることにより、ホストコンピュータ１をマスターとし、ＩＣカード２をスレーブとした通常の処理、或いはＩＣカードをマスターとし、ホストコンピュータ１をスレーブとする処理を杼うことができる。
　以上は、ホストコンピュータ１がＩＣカード２が装着されて一定時間後にマスターとなり動作する例であるが、ＩＣカード２がマスターとなり、ＩＣカード２が最初から動作することも可能である。
　これは、ＩＣカード２がＩＣカードリーダ・ライタ８等に装着されたときに内部で発生するモード情報がマスターとなるモードのときに行われる。
　ＩＣカード２がＩＣカードリーダ・ライタ８に装着されると、ＩＣカードリーダ・ライタ８から電源の供給を受けて、初期設定状態からモード設定状態へと移行し、ここで、最初に得られるモード情報の指定がマスター状態であれば、ＩＣカード２は、マスター状態となり、ホストコンビュー夕１に対してそのステータス設定処理プログラム２７ａを起動するコマンドと処理モードとスレーブを指定するモード情報１３を送出する。そして、ＩＣカード２は、マスター状態に入り、相手方からの応答を待ってモード情報テーブル５の最初の行の処理プログラムを起動する。
　このことにより、ＩＣカード２をマスターとし、ホストコンピュータをスレーブとしたとする最初の処理が行われる。
　ＩＣカード２がマスターとなったときには、例えば、ホストコンピュータ１に対して、ＩＣカード２内で必要なデータの読出し指示、またデータの書込み指示等を行うことができる。また、ＩＣカード２では処理能力の不足により実行できない処理等をホストコンピュータ１に指示して処理させ、その処理結果をＩＣカード２が受取る。このように、ＩＣカード２がマスターとなり独自の処理を実行する。
　なお、この実施例においては、モード情報テーブル又はステータス領域をＥＥＰＲＯＭ２５上に設定したが、ＲＡＭ２４上に設定することも可能である。この場合、電源没入時のステータスは、スレーブ又はマスターとなるようにあらかじめ別に設定できるようにしておく必要がある。なお、モード情報テーブルは、必ずしもテーブルの形式を採る必要はない。ステータス情報領域も同様である。さらに、これらを合わせて１つのテーブルとしてもよいことももちろんである。
　実施例では、ホストコンピュータとＩＣカードとのデータの授受を例としているが、ＩＣカードと他のＩＣカードとを２台のリーダライタ８を用いて接続して或いはさらに通信側御装置等を介して接続してＩＣカード同士のデータの授受をすることが可能である。この場合には、初期状態において一方のＩＣカードがマスターに設定され、他方のＩＣカードがスレーブに設定されるような関係になる。
　なお、実施例のように、モード情報テーブルとステータス情報領域をＥＥＰＲＯＭ２５上に設定するか、ＲＡＭ２４上に設定するようにすれば、ＩＣカード等に対して動作後にこれら情報の設定が可能であるので、モード情報を送出を２枚のＩＣカード２に、それぞれモードを設定するためにマスクとなるホストコンピュータ１或いは、もう１枚のＩＣカード２を用いることも可能である。
　実施例では、ＩＣカード２の相手がホストコンピュータである例を示しているが、これは、相手のＩＣカード自体がステータス設定手段とか、モード情報を有する同様な機能のＩＣカードであっても、また、各種の端末装置であってもよく、能動的な動作をするＩＣカード、ＩＣカードリーダ・ライタ等を含めて、いわゆる情報処理装置一般でよい。
　また、実施例における伝送フォーマットは一例であって、このようなものに限定されるものではない。そして、このようにモード識別情報をもつ伝送フォーマットで伝送することがマスター／スレーブの設定或いは変更時に用いられれば十分である。
　したがって、マスター／スレーブの設定或いは変更のためのモード情報は必要となるが、モード識別情報のうち相手方をある処理状態に設定する個別ステータスの状態情報は必ずしも必要ではない。」（第３頁左上欄第１５行−第８頁右下欄第４行）
　
　また、上記摘記事項からみて、引用例１に記載された事項において、「ホストコンピュータ（１）」と「ＩＣカード（２）」との間でデータ伝送を行っており、そのために、「ＩＣカード（２）」は通信手段を備え、「ホストコンピュータ（１）」と通信を行っていることは明らかである。
　また、上記摘記事項からみて、引用例１に記載された事項において、「ホストコンピュータ（１）」がマスター状態で「ＩＣカード（２）」がスレーブ状態で、銀行取引処理、ショッピング取引処理、病院の受診処理等の個別的処理状態の場合、「ＩＣカード（２）」による当該個別的処理は、「ホストコンピュータ（１）」による処理に対して受動的であることは明らかである。
　また、上記摘記事項からみて、引用例１に記載された事項において、処理が個別的処理である状態の場合は、当該個別的処理が「マイクロプロセッサ（２２）」を制御して個別的処理の状態で「マイクロプロセッサ（２２）」を動作させていることは明らかである。
　また、上記摘記事項からみて、引用例１に記載された事項において、個別的処理を行っていない通常の場合は、「ＩＣカード（２）」の「マイクロプロセッサ（２２）」は通常処理の動作を行っていることは明らかである。
　さらに、上記摘記事項からみて、引用例１に記載された事項において、「ＩＣカード（２）」は自己の動作状態を設定しており、「ＩＣカード（２）」の「マイクロプロセッサ（２２）」は通常処理の状態と個別的処理の状態の間での「マイクロプロセッサ（２２）」の切換を行っていることは明らかである。
　してみると、引用例１には、
『通信のための「ＩＣカード（２）」内で個別的処理を使用するための方法であって、「ＩＣカード（２）」は、「ＩＣカード（２）」の機能を実施するための「マイクロプロセッサ（２２）」を含み、該「ＩＣカード（２）」は通信を提供するための通信手段を含んでおり、該方法は、
−　個別的処理が受動的である、「ＩＣカード（２）」がスレーブ状態であり処理が個別的処理である状態及び「ＩＣカード（２）」がマスター状態であり処理が個別的処理である状態で個別的処理を実行させる段階：及び
−　「ＩＣカード（２）」の「マイクロプロセッサ（２２）」が制御動作を実施する通常処理の状態、又は「マイクロプロセッサ（２２）」が個別的処理により制御されている個別的処理の状態で、該「マイクロプロセッサ（２２）」を動作させる段階：を含んで成ることを及び
−　「マイクロプロセッサ（２２）」は通常処理の状態と個別的処理の状態との間での「マイクロプロセッサ（２２）」の切換えを制御する方法。」
との発明（以下、「引用発明」という。）が記載されている。
　
４．対比
　本願発明と引用発明とを比較すると、引用発明の「個別的処理」は本願発明の「アプリケーション」に相当し、以下同様に、「マイクロプロセッサ（２２）」は「マスター制御ユニット（ＭＣＵ）」に、「ＩＣカード（２）がスレーブ状態であり処理が個別的処理である状態」は「第１の動作モード」に、「ＩＣカード（２）がマスター状態であり処理が個別的処理である状態」は「第２の動作モード」に、「通常処理の状態」は「通常モード」に、「個別処理の状態」は「アプリケーション・モード」に相当する。
　本願発明と引用発明を比較すると、引用発明の「マスター状態」は本願発明の「第１の動作モード」及び「通常モード」に相当し、以下同様に、「スレーブ状態」は「第２の動作モード」及び「アプリケーション・モード」に、「マイクロプロセッサ（２２）」は、「マスター制御ユニット（ＭＣＵ）」に相当する。
　また、引用発明の「ＩＣカード（２）」と本願発明の「移動局」とは、アプリケーションを動作させる「処理装置」という点で共通する。
　また、引用発明の「通信手段」と本願発明の「無線通信手段」とは「通信手段」という点で共通する。
　そうすると、本願発明と引用発明とは、
「通信のための処理装置内でアプリケーションを使用するための方法であって、処理装置は、処理装置機能を実施するためのマスター制御ユニット（ＭＣＵ）を含み、該処理装置はさらに通信を提供するための通信手段を含んでおり、該方法は、
−　アプリケーションが受動的である第１の動作モード及びアプリケーションがＭＣＵを制御中である第２の動作モードでアプリケーションを動作させる段階；及び
−　処理装置のＭＣＵが制御動作を実施する通常モード、又はＭＣＵが該アプリケーションにより制御されているアプリケーション・モードで、該ＭＣＵを動作させる段階；
を含んで成ること及び
−　ＭＣＵは通常モードとアプリケーション・モードの間でのＭＣＵの切換えを制御すること、
を特徴とする方法。」
という点で一致し、以下の点で相違する。
　
（相違点１）
　本願発明では、通信のための処理装置が、無線通信のための移動局であり、そのため、通信手段が無線通信手段であるのに対し、引用発明では、処理装置が、ＩＣカードであり、通信手段が無線通信手段であるかどうか明記されていない点。
　
５．判断
（相違点１について）
　無線通信手段を備えた無線通信のための無線電話機などの移動局にＩＣカードを装着して所定の処理を実行することは周知事項である（例えば、特開平６−２８４０６７号、特開平４−８３４４７号公報、特開平５−２８４２４６号公報等参照）ので、引用発明において、通信のための処理装置として、ＩＣカードの代わりに、ＩＣカードを装着した無線通信のための移動局を用い、通信手段として無線通信手段を用いることは当業者が容易に考えられる事項である。
　したがって、相違点１に係る本願発明の構成は、引用発明及び周知事項に基づいて当業者が容易に想到しえたものである。
　
　そして、本願発明の作用効果も、引用例１及び周知事項から当業者が予測できる範囲のものである。
　したがって、本願発明は、引用例１に記載された発明及び周知事項に基づいて、当業者が容易に発明をすることができたものである。
　
６．まとめ
　以上のとおり、本願発明は、引用例１に記載された発明及び周知事項に基づいて、当業者が容易に発明をすることができたものであるから、特許法第２９条第２項の規定により特許を受けることができない。
　よって、結論のとおり審決する。